(57)【要約】【課題】  化粧カバーの上げ下ろしを行うことなく、開放状態に保持して保守・点検を可能にしたスライド扉用上側レールの化粧カバー取付構造を提供すること。【解決手段】  庫体１における出入口２の上部に装着される１又は複数の係止部材１０に、上方が開口する第１の係止溝１１と、庫体１側に向かって開口する第２の係止溝１２を設ける。化粧カバー２０は、レール３及び吊り車輪７の上部を覆う上部カバー部２１と、この上部カバー部２１の一端から下方に延在されてレール及び吊り車輪の前面部を覆う前面カバー部２２と、上部カバー部の他端から折曲されて、第１の係止溝又は第２の係止溝に選択的に係合する係合片２３とを設ける。これにより、通常時には、化粧カバーの係合片を、第１の係止溝に係合させて、レール及び吊り車輪を覆い、保守・点検時には、係合片を第２の係止溝に係合させて、化粧カバーを開放状態に保持することができる。【選択図】    図４
2005264430.tif 000002
【特許請求の範囲】
【請求項１】
庫体の出入口の上部に水平に配設される上側レールと、上記出入口を開閉する扉体の上部に扉吊り具を介して装着され、上記上側レールに走行可能に係合する吊り車輪と、を具備するスライド扉において、上記上側レール及び吊り車輪の上部及び前面部を覆う化粧カバーの取付構造であって、
上記庫体における上記出入口の上部に装着される１又は複数の係止部材に、上方が開口する第１の係止溝と、上記庫体側に向かって開口する第２の係止溝を設け、
上記化粧カバーは、上記上側レール及び吊り車輪の上部を覆う上部カバー部と、この上部カバー部の一端から下方に延在されて上記上側レール及び吊り車輪の前面部を覆う前面カバー部と、上記上部カバー部の他端から折曲されて、上記第１の係止溝又は第２の係止溝に選択的に係合する係合片とを設け、
通常時には、上記化粧カバーの係合片を、上記第１の係止溝に係合させて、上記上側レール及び吊り車輪を覆い、保守・点検時には、上記係合片を、上記第２の係止溝に係合させて、化粧カバーを開放状態に保持可能にした、ことを特徴とするスライド扉用上側レールの化粧カバー取付構造。
【請求項２】
請求項１記載のスライド扉用上側レールの化粧カバー取付構造において、
上記係止部材は、庫体側上端に第１の係止溝を設け、この第１の係止溝の開口端から上記庫体の前方側に向かって下り勾配の傾斜面上に第２の係止溝を設けた、ことを特徴とするスライド扉用上側レールの化粧カバー取付構造。
【請求項３】
請求項１又は２記載のスライド扉用上側レールの化粧カバー取付構造において、
上記第１及び第２の係止溝をそれぞれ開口側に向かって拡開テーパ状に形成し、上記係合片を、上記第１及び第２の係止溝内に隙間なく接触すべく先端側に向かって狭小テーパ状に形成してなる、ことを特徴とするスライド扉用上側レールの化粧カバー取付構造。
【請求項４】
請求項１ないし３のいずれかに記載のスライド扉用上側レールの化粧カバー取付構造において、
上記係止部材は、アルミニウム合金製押出形材によって形成されている、ことを特徴とするスライド扉用上側レールの化粧カバー取付構造。
【発明の詳細な説明】
【技術分野】
【０００１】
この発明は、例えば冷蔵庫、冷凍庫、保管庫、あるいは保冷凍庫（以下に、冷蔵庫等という）におけるスライド扉用上側レールの化粧カバー取付構造に関するものである。
【背景技術】
【０００２】
従来、冷蔵庫等のスライド扉としては、冷蔵庫等の庫体の出入口の上部において水平に配設される上側レールと、出入口を開閉する扉体の上部に扉吊り具を介して装着されて、上側レールに走行可能に係合する吊り車輪と、を具備する構造のものが広く使用されている。なお、扉体を開閉移動する手段として、扉吊り具を介して扉体を開閉移動する駆動機構例えばリニアモータが用いられている。
【０００３】
上記のように構成されるスライド扉において、上側レール及び吊り車輪等がそのまま露出すると、美観が損なわれるばかりか、上側レール、吊り車輪や駆動機構の駆動部等に埃や塵が付着して扉体の開閉に支障をきたすという問題がある。
【０００４】
そのため、扉体を移動自在に保持するために化粧カバーが必要である。従来においては、上記化粧カバーは、長手方向に沿って係止部を全長に亘って突設し、上側レールの天板部に設けられた係合部に該係止部を弾性的に係止する化粧カバー取付構造が知られている（例えば、特許文献1参照）。
【特許文献１】特開２００２−９７８３５（特許請求の範囲、段落番号００１９、図８）
【発明の開示】
【発明が解決しようとする課題】
【０００５】
ところで、スライド扉を長期に亘って安全に使用するためには、上側レールと吊り車輪の走行状態や駆動機構の保守・点検が必要である。
【０００６】
しかしながら、特開２００２−９７８３５に記載の化粧カバー取付構造においては、保守・点検時に、化粧カバーが邪魔になるため、化粧カバーの係止部と上側レールの天板部に設けられた係合部との係合を解いて、化粧カバーを一旦取り外して、床へ下ろす必要がある。しかし、保守・点検は、冷蔵庫等の稼働中の工場内で行うため、下ろした化粧カバーの置き場が確保しづらい点や、保守・点検作業は脚立を使った高所で行うため、化粧カバーの上げ下ろしを二人以上の作業員で行うので煩わしく、作業性が悪い等の問題があった。
【０００７】
この発明は、上記事情に鑑みてなされたもので、化粧カバーの上げ下ろしを行うことなく、開放状態に保持して保守・点検を可能にしたスライド扉用上側レールの化粧カバー取付構造を提供することを目的とするものである。
【課題を解決するための手段】
【０００８】
上記課題を解決するために、この発明のスライド扉用上側レールの化粧カバー取付構造は、庫体の出入口の上部に水平に配設される上側レールと、上記出入口を開閉する扉体の上部に扉吊り具を介して装着され、上記上側レールに走行可能に係合する吊り車輪と、を具備するスライド扉において、上記上側レール及び吊り車輪の上部及び前面部を覆う化粧カバーの取付構造であって、  上記庫体における上記出入口の上部に装着される１又は複数の係止部材に、上方が開口する第１の係止溝と、上記庫体側に向かって開口する第２の係止溝を設け、  上記化粧カバーは、上記上側レール及び吊り車輪の上部を覆う上部カバー部と、この上部カバー部の一端から下方に延在されて上記上側レール及び吊り車輪の前面部を覆う前面カバー部と、上記上部カバー部の他端から折曲されて、上記第１の係止溝又は第２の係止溝に選択的に係合する係合片とを設け、  通常時には、上記化粧カバーの係合片を、上記第１の係止溝に係合させて、上記上側レール及び吊り車輪を覆い、保守・点検時には、上記係合片を、上記第２の係止溝に係合させて、化粧カバーを開放状態に保持可能にした、ことを特徴とする（請求項１）。
【０００９】
この発明において、上記係止部材は、庫体側上端に第１の係止溝を設け、この第１の係止溝の開口端から上記庫体の前方側に向かって下り勾配の傾斜面上に第２の係止溝を設ける方が好ましい（請求項２）。また、上記第１及び第２の係止溝をそれぞれ開口側に向かって拡開テーパ状に形成し、上記係合片を、上記第１及び第２の係止溝内に隙間なく接触すべく先端側に向かって狭小テーパ状に形成する方が好ましい（請求項３）。加えて、上記係止部材をアルミニウム合金製押出形材によって形成する方が好ましい（請求項４）。
【発明の効果】
【００１０】
この発明によれば、上記のように構成されているので、以下のような効果が得られる。
【００１１】
（１）請求項１記載の発明によれば、通常時には、化粧カバーの係合片を、係止部材に設けられた第１の係止溝に係合させて、上側レール及び吊り車輪を覆い、保守・点検時には、化粧カバーの係合片を、係止部材に設けられた第２の係止溝に係合させて、化粧カバーを開放状態に保持可能に形成されているので、保守・点検時に化粧カバーの上げ下ろしを行う煩わしさがなく、保守・点検作業を容易にかつ効率よく行うことができる。
【００１２】
（２）請求項２記載の発明によれば、係止部材は、庫体側上端に第１の係止溝を設け、この第１の係止溝の開口端から庫体の前方側に向かって下り勾配の傾斜面上に第２の係止溝を設けることにより、保守・点検時には、化粧カバーの係合片を第１の係止溝から上方へ引き上げた後、傾斜面上を滑らせて第２の係止溝に係合させることができる。また、保守・点検作業が終了した後は、化粧カバーの係合片を第２の係止溝から斜め上方に引き上げた後、そのままの状態で傾斜面上を滑らせて第１の係止溝に係合させることができる。したがって、上記（１）に加えて、更に化粧カバーの通常状態と開放状態への切り換え操作を容易にすることができ、作業性の向上を図ることができる。
【００１３】
（３）請求項３記載の発明によれば、係止部材に設けられる第１及び第２の係止溝をそれぞれ開口側に向かって拡開テーパ状に形成し、化粧カバーに設けられる係合片を、第１及び第２の係止溝内に隙間なく接触すべく先端側に向かって狭小テーパ状に形成するので、係合片と第１又は第２の係止溝との係脱を容易にすることができると共に、係合状態において化粧カバーのガタツキを防止することができる。
【００１４】
（４）請求項４記載の発明によれば、係止部材をアルミニウム合金製押出形材によって形成することにより、上記第１及び第２の係止溝等を有する複雑な形状の係止部材を容易かつ低廉に作成することができる。
【発明を実施するための最良の形態】
【００１５】
以下に、この発明に係るスライド扉用上側レールの化粧カバー取付構造の最良の実施形態を添付図面に基づいて詳細に説明する。
【００１６】
図１は、この発明に係るスライド扉をプレハブ式の冷蔵庫に適用した場合の一例を示す斜視図、図２は、スライド扉の縦断面図、図３は、スライド扉の要部を示す縦断面図、図４は、この発明における化粧カバーの開放状態を示す縦断面図、図５は、この発明における化粧カバーと係止部材の取付状態を示す拡大断面図である。
【００１７】
上記スライド扉は、プレハブ式冷蔵庫の庫体１に開設された出入口用開口部２（以下に出入口２という）の上部側にレール取付部材４を介して水平状に配設される上側レール３（以下にレール３という）と、出入口２を開閉する扉体５（図面では片開きの場合を示す）の上端部に扉吊り具６を介して装着されると共にレール３を転走する吊り車輪７と、扉吊り具６に連結する可動子（図示せず）を有する駆動機構例えばリニアモータ８とで主に構成されている。
【００１８】
なお、扉体５の上端には、扉体５の上端に対して高さ調節可能な脱輪防止部材９が着脱可能に装着されている。また、扉体５の庫体１側の上辺及び左右辺には、パッキン７０が周設されており、扉体５の下端部には、床部Ｆに接触するシートパッキン７１が垂下されている。また、扉体５の閉塞時における扉体５の下部表面と床部Ｆの固定側面の対向する面には、扉体５を庫体１側に押圧する密閉移動手段１００が配設されている。
【００１９】
また、庫体１の出入口２の上部には、リニアモータ８のリニアレール（図示せず）を配設するケース体８ａが固定ボルト８ｂによって庫体１の側壁面に装着されている。このケース体８ａは、例えばアルミニウム合金製の中空押出形材によって形成されている。なお、ケース体８ａの一端部には、リアモータ８の駆動源を収納するコントロールボックス８ｄが連結されている（図７及び図８参照）。
【００２０】
また、ケース体８ａの上端部には、化粧カバー２０が係合可能な係止部材１０が載置されると共に、固定ねじ１０ａによって庫体１の側壁面に装着固定されている。この係止部材１０は、例えばアルミニウム合金製の中空押出形材を適宜長さに切断したピース状に形成されている（図６参照）。このように形成されたピース状の係止部材１０は、図７に示すように、複数（図面では、５個の場合を示す）が適宜間隔をおいて配設されている。この係止部材１０には、上端における庫体１側に上方が開口する第１の係止溝１１が設けられ、この第１の係止溝１１の開口端から庫体１の前方側に向かって下り勾配の傾斜面１３上に、庫体１側に向かって傾斜状に開口する第２の係止溝１２が設けられている。この場合、第１及び第２の係止溝１１，１２は、それぞれ開口側に向かって拡開テーパ状に形成されている。このように第１及び第２の係止溝１１，１２を、開口側に向かって拡開テーパ状に形成することにより、後述する化粧カバー２０の係合片２３の係脱を容易にすることができる。なお、係止部材１０の前面側壁１４には、固定ねじ１０ａを取り付けるための工具（ドライバ）の挿入孔１５が穿設されている（図５及び図６参照）。
【００２１】
上記係止部材１０は、必ずしも複数のピース状である必要はなく、図８に示すような長手通し状の１本の係止部材１０Ａであってもよい。なお、図８に示す係止部竿１０Ａにおいて、その他の部分はピース状の係止部材１０と同じであるので、同一部分には同一符号を伏して説明は省略する。
【００２２】
上記化粧カバー２０は、例えばアルミニウム合金製の押出形材によって形成されている。この化粧カバー２０には、レール３及び吊り車輪７の上部を覆う上部カバー部２１と、この上部カバー部２１の一端から下方に略「く」字状に延在されてレール３及び吊り車輪７の前面部を覆う前面カバー部２２と、上部カバー部２１の他端から折曲されて、第１の係止溝１１又は第２の係止溝１２に選択的に係合する係合片２３とが設けられている。この場合、係合片２３は、係止部材１０に設けられた拡開テーパ状の第１及び第２の係止溝１１，１２に隙間なく接触すべく先端側に向かって狭小テーパ状に形成されている。また、化粧カバー２０の前面カバー部２２の上部内側面には、先端に垂下係合片２４を有する水平片２５が略水平状に突設されている。また、化粧カバー２０の上部カバー部２１の内側面の１箇所と前面カバー部２２の中間部及び下端部の２箇所には、それぞれビスポケット２６が設けられており、化粧カバー２０の側面部を構成する端部カバー２７を貫通する取付ビス（図示せず）がビスポケット２６にねじ結合されるようになっている。
【００２３】
上記のように構成される化粧カバー２０は、通常時には、係合片２３が第１の係止溝１１に係合されると共に、垂下係合片２４がケース体８ａの前面部に設けられた補助係止溝８ｃに係合されて、レール３及び吊り車輪７を覆っている（図２、図３及び図５参照）。また、保守・点検時には、化粧カバー２０を上方に持ち上げて係合片２３と垂下係合片２４をそれぞれ第１の係止溝１１及び拡開テーパ状の補助係止溝８ｃから上方へ引き上げた後、係合片２３を傾斜面１３に沿って滑らせて第２の係止溝１２に係合させて、化粧カバー２０を開放状態に保持する（図４及び図５参照）。この状態においては、係合片２３は第２の係止溝１２内に隙間無く接触しているので、化粧カバー２０はガタツクことなく、開放状態を維持することができる。このように化粧カバー２０を開放状態に保持して、レール３と吊り車輪７の走行部やリニアモータ８の保守・点検作業を行うことができる。また、保守・点検作業が終了した後は、化粧カバー２０の係合片２３を第２の係止溝１２から斜め上方に引き上げた後、そのままの状態で傾斜面１３上を滑らせて第１の係止溝１１に係合させて、レール３及び吊り車輪７を覆う。したがって、化粧カバー２０の通常状態と開放状態への切り換え操作を容易にすることができ、作業性の向上を図ることができる。
【００２４】
上記レール３は、例えば、レール面３０が断面逆Ｖ字状に隆起する断面略中空矩形状の複数（例えば２個）のアルミニウム合金又はステンレス製の直状のレール基部３１と、このレール基部３１に連接される断面略矩形状のピース状のプラスチック製のガイド部材（図示せず）とで構成されている。
【００２５】
上記のように構成されるレール基部３１とガイド部材は、庫体１に取付ボルト４１をもって取り付けられるレール取付部材４に載置されると共に、レール取付部材４を貫通する固定ボルト（図示せず）をもって固定されている。この場合、レール取付部材４は、図２及び図３に示すように、レール基部３１とガイド部材とを載置する断面Ｖ字状の保持部４２と、この保持部４２の一端から傾斜状に延在する傾斜部４３と、傾斜部４３の先端に交差状に連結する垂直状の取付部４４と、取付部４４の下端と傾斜部４３の下部とに連結される補強部４５とからなる三角状中空部４６を有するアルミニウム合金製押出形材によって形成されている。
【００２６】
このように形成されるレール取付部材４は、保持部４２上にレール基部３１とガイド部材を互いに連接した状態で載置し、保持部４２の外側から固定ボルトをねじ結合して、レール基部３１とガイド部材を固定することができる。そして、取付部４４を庫体１の取付面に当接した状態で、取付ボルト４１を取付部４４に設けられた取付孔を貫通して庫体１にねじ結合することにより固定することができる。
【００２７】
これにより、扉体５の閉塞位置に対応させて、レール基部３１とガイド部材との連接位置を適宜代えることができるので、レール３の加工を容易にすることができると共に、レール３及び扉体５の組付けを容易にすることができる。
【００２８】
なお、レール取付部材４の端部には、扉体５のストッパ部材（図示せず）が取り付けられている。
【００２９】
一方、上記吊り車輪７は、扉体５の上端におけるスライド方向の両端側の２箇所に取り付けられており、レール３のレール面３０の逆Ｖ字状に対応する略Ｖ形の周溝７ａを具備している。また、吊り車輪７は、扉体５の取付状態｛具体的には、扉体５が位置する床部Ｆの凹凸や傾斜状態｝に応じて位置調節が可能となっている。すなわち、扉体５の上端に固定されるＬ形状の扉吊り具６の垂直片６１に設けられた垂直状の長孔（図示せず）内を摺動可能（上下移動可能）に取り付けられた支持軸６２によって垂直方向に回転自在に装着されている（図２及び図３参照）。なお、扉吊り具６の垂直片６１の上端部には、扉体５が自重によって下がるのを防止するためのストッパ機構６３が設けられている。
【００３０】
なお、上記扉体５はその基部が一対の金属製表面板５ａ間に例えば発泡ポリウレタン等の断熱性心材５ｂを充填したサンドイッチ構造となっており、この扉体５の庫体１側の上辺及び左右辺には、庫体１の出入口２の開口縁部に周設されたパッキン受座９ｃに圧接するパッキン７０が周設され、扉体５の庫体１側の下辺には、床部Ｆに接触するシートパッキン７１が垂設されている（図２参照）。なお、庫体１のパッキン受座７２の適宜位置とパッキン７０の適宜位置には解凍及び結露水防止用のヒータ（図示せず） が埋設されている。
【００３１】
なお、上記実施形態では、片開き式のスライド扉について説明したが、この発明に係る化粧カバー取付構造は、必ずしも片開き式のスライド扉に限定されるものではなく、両開き式のスライド扉においても適用できることは勿論である。
【００３２】
なお、上記実施形態では、扉体５の開閉をリニアモータ８によって移動する場合について説明したが、リニアモータ８以外の駆動機構例えばモータとベルトによる電動式であってもよく、あるいは、手動式である場合にも適用できることは勿論である。
【００３３】
また、上記実施形態では、この発明に係るスライド扉を冷蔵庫に適用した場合について説明したが、冷蔵庫以外の例えば冷凍庫，保管庫あるいは保冷凍庫等にも同様に適用できることは勿論である。
【図面の簡単な説明】
【００３４】
【図１】この発明に係るスライド扉を取り付けたプレハブ式冷蔵庫を示す概略斜視図である。
【図２】上記スライド扉の縦断面図である。
【図３】上記スライド扉の要部を示す縦断面図である。
【図４】この発明における化粧カバーの開放状態を示す縦断面図である。
【図５】この発明における化粧カバーと係止部材の取付状態を示す拡大断面図である。
【図６】上記係止部材の第１実施形態を示す斜視図である。
【図７】上記第１実施形態の係止部材の取付状態を示す概略正面図（ａ）及び（ａ）のＩ−Ｉ線に沿う断面図図（ｂ）である。
【図８】第２実施形態の係止部材の取付状態を示す概略正面図（ａ）及び（ａ）のII−II線に沿う断面図図（ｂ）である。
【符号の説明】
【００３５】
１  庫体
２  出入口
３  上側レール
５  扉体
６  扉吊り具
７  吊り車輪
１０，１０Ａ  係止部材
１１  第１の係止溝
１２  第２の係止溝
１３  傾斜面
２０  化粧カバー
２１  上部カバー部
２２  前面カバー部
２３  係合片
【図１】
2005264430.tif 000003
【図２】
2005264430.tif 000004
【図３】
2005264430.tif 000005
【図４】
2005264430.tif 000006
【図５】
2005264430.tif 000007
【図６】
2005264430.tif 000008
【図７】
2005264430.tif 000009
【図８】
2005264430.tif 000010